(57)【特許請求の範囲】
【請求項１】
除湿処理に用いられた吸湿体の再生処理を行う再生機であって、
前記再生処理を行う再生空間を形成する筐体と、
前記筐体に設けられ、前記再生処理に用いられた空気を前記筐体の外部に排出するための排気口と、
前記筐体に設けられ、前記再生処理に用いる空気を該再生機の外部から吸入するための吸気口と、
前記排気口から前記筐体の外部に排出された空気を前記吸気口の前の空間に向かって流れるように案内する排気案内手段と、
を備えたことを特徴とする再生機。
【請求項２】
前記排気口は、前記筐体の一つの面である排気面に設けられ、
前記吸気口は、前記筐体の前記排気面と接する一つの面である吸気面に設けられ、
前記排気案内手段は、前記排気口に覆せられた２枚の板部材で形成され、前記排気口から排出された空気を前記吸気口の前に向かって排出する三角形の開口を有する三角フードであり、
前記２枚の板部材は、それぞれ台形状であり、
前記三角フードは、前記２枚の板部材が、それぞれの平行な２辺のうちの短い方の辺が前記排気面に取り付けられ、それぞれの長い方の辺が互いに接続されるように組み合わせて構成され、
前記２枚の板部材の接続部分である屋根の一端は、前記吸気面よりも前に出るように形成され、
前記２枚の板部材と前記排気面とで前記三角形の開口が形成され、
前記吸気面側の前記三角形の開口は開放され、前記吸気面と反対側の前記三角形の開口は閉じられ、
前記排気口から排出された空気を前記三角フードで跳ね返らせて開放された前記開口から排出させて前記吸気口の前の空間に向かって流れるように案内する
ことを特徴とする請求項１記載の再生機。
【請求項３】
前記排気口は、前記筐体の一つの面に設けられ、
前記吸気口は、前記筐体の前記排気口が設けられた前記面と接する面に設けられ、
前記排気案内手段は、前記排気口を覆うように設けられた排気チャンバであり、前記排気チャンバは、前記筐体の前記排気口が設けられた前記面から突出する突出部を有し、該突出部の前記吸気口に面する部分から空気を排出して前記吸気口の前の空間に向かって流れるように案内する
ことを特徴とする請求項１記載の再生機。
【請求項４】
前記排気案内手段は、一端が前記排気口に接続され、他端が前記吸気口に向けて開放された排気ダクトであることを特徴とする請求項１記載の再生機。
【請求項５】
吸湿体の吸湿作用を利用して空気の除湿処理を行う除湿処理機と、
請求項１ないし請求項４のいずれかに記載の再生機と、
前記除湿処理機にて使用された吸湿体を前記再生機に搬送する第１の搬送手段と、
前記再生機にて再生された吸湿体を前記除湿処理機に搬送する第２の搬送手段と、
を備えたことを特徴とする除湿装置。
【発明の詳細な説明】
【技術分野】
【０００１】
本発明は、除湿処理に用いた吸湿体を再生する再生機及びそれを備えた除湿装置に関する。
【背景技術】
【０００２】
従来、除湿装置では、除湿処理機にて吸湿体に空気中の水分を吸収又は吸着させる除湿処理を行うとともに、再生機にて水分を含んだ吸湿体から水分を脱離させる再生処理を行う（例えば、特許文献１を参照）。例えば、吸収式の除湿装置（湿式除湿装置）では、吸湿体として吸湿性液体を用い、吸湿性液体に空気中の水分を吸収させて、空気の除湿を行う（例えば、特許文献２を参照）。この吸湿性液体を再生するときは、吸湿性液体に含まれる水分を空気中に放出させる。除湿処理機と再生機は２本の配管で連結される。除湿処理機で除湿処理に用いられて水分を多く含んだ吸湿性液体は、１本の配管を通じて再生機に送られる。再生機で再生された吸湿性液体は、他の１本の配管を通じて再生機から除湿処理機に送られる。
【０００３】
吸湿性液体を再生する際には、吸湿性液体から水分を脱離させやすくするために吸湿性液体を加熱するとともに、この吸湿性液体に空気を接触させることにより、空気中に水分を放出させる。吸収性液体の再生に利用される空気としては、再生機の外部に存在する外気が用いられる。このとき、外気の温度は高いことが望ましい。高温の空気であれば、相対湿度が低くなり、吸湿性液体から水分を離脱させやすいからである。
【先行技術文献】
【特許文献】
【０００４】
【特許文献１】特開平１０−２９６０３９号公報
【特許文献２】特開平１０−２６７５２８号公報
【発明の概要】
【発明が解決しようとする課題】
【０００５】
そこで、外気を加熱器で加熱することが考えられる。しかしながら、この場合には、そのような専用の加熱器が必要となってコストが増加するとともに、加熱器を駆動するためにエネルギーを消費することにもなる。熱交換器によって排気と吸気との間で熱交換を用い、排気熱を吸入外気に再利用することも考えられるが、これまたコストがかかることになり、装置が大型化することにもなる。
【０００６】
また、他の設備からの排熱を利用して再生に使用する空気を加熱することも考えられるが、この場合には、排熱源から排熱を搬送するための設備が必要となり、そもそも排熱源となる他の設備が存在しない場合には実現できない。
【０００７】
なお、吸着式の除湿装置（乾式除湿装置）についても同様の問題がある。吸着式の除湿装置の場合には、吸湿体として吸着剤を用い、除湿処理機で吸着剤に空気中の水分を吸着させることで空気の除湿を行い、再生機で吸着剤から水分を脱離させることで、吸着剤を再生する。この吸着剤の再生においても、吸着剤に高温の空気を接触させるのが望ましいが、空気を高温にするために専用の加熱器を用いると、上記と同様に、加熱器が必要となってコストが増加し、加熱器を駆動させるエネルギーも必要になる。
【０００８】
本発明は、吸湿体の再生に用いる空気に対して加熱をするための専用の加熱器を必要とせずに、再生すべき吸湿体に高温の空気を供給できる再生機及びそれを備えた除湿装置を提供することを目的とする。
【課題を解決するための手段】
【０００９】
本発明の再生機は、除湿処理に用いられた吸湿体の再生処理を行う再生機であって、前記再生処理を行う再生空間を形成する筐体と、前記筐体に設けられ、前記再生処理に用いられた空気を前記筐体の外部に排出するための排気口と、前記筐体に設けられ、前記再生処理に用いる空気を該再生機の外部から吸入するための吸気口と、前記排気口から前記筐体の外部に排出された空気を前記吸気口の前の空間に向かって流れるように案内する排気案内手段とを備えた構成を有している。
【００１０】
この構成により、再生処理に用いられて水分を多く含んだ空気が排気口から排出されて吸気口の付近に導かれると、その排出された空気が吸気口の付近で外気に対して水分を放出するとともに、高温を維持したまま再生処理空間に戻される。よって、吸湿体の再生に用いる空気に対して加熱をするための専用の加熱器を必要とせずに、高温の空気を吸気口に供給できる。なお、再生処理に用いられた空気は高温であるとともに、水分を多く含んで高湿の空気となっている。この高湿の空気をそのまま吸湿体の再生に用いると、吸湿体から空気への水分の放出が進まず、再生には不利となる。しかしながら、上記の構成により、吸気口付近で外気に晒された排気は、急速に潜熱拡散して、湿度は外気と同程度となる。よって、上記の構成により、温度のみが高く湿度は外気と同程度である空気が吸気口から吸入されて再生に利用されることになる。
【００１１】
本発明の再生機において、前記排気口は、前記筐体の一つの面である排気面に設けられ、前記吸気口は、前記筐体の前記排気面と接する一つの面である吸気面に設けられ、前記排気案内手段は、前記排気口に覆せられた２枚の板部材で形成され、前記排気口から排出された空気を前記吸気口の前に向かって排出する三角形の開口を有する三角フードであり、前記２枚の板部材は、それぞれ台形状であり、前記三角フードは、前記２枚の板部材が、それぞれの平行な２辺のうちの短い方の辺が前記排気面に取り付けられ、それぞれの長い方の辺が互いに接続されるように組み合わせて構成され、前記２枚の板部材の接続部分である屋根の一端は、前記吸気面よりも前に出るように形成され、前記２枚の板部材と前記排気面とで前記三角形の開口が形成され、前記排気口から排出された空気を前記三角フードで跳ね返らせて前記開口から排出させて前記吸気口の前の空間に向かって流れるように案内する。
【００１２】
この構成により、簡易かつコンパクトな構成で、排気口から排出された空気を前記吸気口の付近に案内できる。
【００１３】
本発明の再生機において、前記排気口は、前記筐体の一つの面に設けられ、前記吸気口は、前記筐体の前記排気口が設けられた前記面と接する面に設けられ、前記排気案内手段は、前記排気口を覆うように設けられた排気チャンバであり、前記排気チャンバは、前記筐体の前記排気口が設けられた前記面から突出する突出部を有し、該突出部の前記吸気口に面する部分から空気を排出して前記吸気口の前の空間に向かって流れるように案内する。
【００１４】
この構成により、簡易かつコンパクトな構成で、排気口から排出された空気を確実に吸気口付近に供給できる。
【００１５】
本発明の再生機において、前記排気案内手段は、一端が前記排気口に接続され、他端が前記吸気口に向かって開放された排気ダクトである。
【００１６】
この構成により、排気口から排出された空気を確実に吸気口付近に供給でき、かつ、吸気口付近に供給する際には吸気口に向けて空気を供給するので、排気が有する顕熱の利用効率が向上する。
【００１７】
本発明の除湿装置は、吸湿体の吸湿作用を利用して空気の除湿処理を行う除湿処理機と、上記の再生機と、前記除湿処理機にて使用された吸湿体を前記再生機に搬送する第１の搬送手段と、前記再生機にて再生された吸湿体を前記除湿処理機に搬送する第２の搬送手段とを備えた構成を有している。
【００１８】
この構成により、吸湿体の再生に用いる空気に対して加熱をするための専用の加熱器を必要とせずに、高温の空気を再生処理空間に供給して吸湿体の再生処理を行うことができる。
【発明の効果】
【００１９】
本発明によれば、吸湿体の再生に用いる空気に対して加熱をするための専用の加熱器を必要とせずに、高温の空気を吸気口に供給できる。
【図面の簡単な説明】
【００２０】
【図１】本発明の実施の形態の除湿装置の概略構成図
【図２】本発明の第１の実施の形態の排気案内部材を備えた再生機の斜視図
【図３】本発明の第１の実施の形態の排気案内部材を備えた再生機の断面図
【図４】本発明の第２の実施の形態の排気案内部材を備えた再生機の斜視図
【図５】本発明の第２の実施の形態の排気案内部材を備えた再生機の断面図
【図６】本発明の第３の実施の形態の排気案内部材を備えた再生機の斜視図
【図７】本発明の第３の実施の形態の排気案内部材を備えた再生機の断面図
【発明を実施するための形態】
【００２１】
以下、図面を参照して本発明の実施の形態を説明する。まず、本発明の実施の形態の除湿装置の概要について説明する。以下では、吸湿体として吸湿性液体を用いる吸収式の除湿装置（湿式除湿装置）に本発明を適用した場合を説明する。
【００２２】
図１は、本発明の実施の形態の除湿装置の概略構成図である。図１に示すように、除湿装置１は、除湿処理機２と再生機３を備えている。除湿処理機２と再生機３とは２本の配管４，５によって連結されている。除湿処理機２は、除湿処理空間を形成する筐体２１を備えている。筐体２１には、吸気口２２及び排気口２３が設けられている。吸気口２２はファン２２１を備えている。除湿処理機２は、ファン２２１を駆動することで、吸気口２２を介して、筐体２１によって形成される除湿処理空間に、除湿処理機２の外部の空気を吸入する。排気口２３もファン２３１を備えている。除湿処理機２は、ファン２３１を駆動することで、排気口２３を介して、除湿処理機２の外部に、筐体２１によって形成される除湿処理空間内の空気を排出する。よって、空気は、吸気口２２から筐体２１内の除湿処理空間に取り込まれ、排気口２３から外部に排出される。
【００２３】
筐体２１の内部には、吸湿性液体Ｌを滴下するための複数のノズル２４が設けられている。ノズル２４の下方には吸湿性液体Ｌを保持するための保持部材２５が設けられている。保持部材２５のさらに下方は、吸湿性液体Ｌを溜めるための液槽２６が設けられている。複数のノズル２４には配管４の一端が接続されており、配管４の他端は、後述する再生機３の液槽３６に接続されている。また、液槽２６には配管５の一端が接続されており、配管５の他端は、後述する再生機３のノズル３４に接続されている。
【００２４】
再生機３は、再生処理空間を形成する筐体３１を備えている。筐体３１には、吸気口３２及び排気口３３が設けられている。吸気口３２はファン３２１を備えている。再生機３は、ファン３２１を駆動することで、吸気口３２を介して、筐体３１によって形成される再生処理空間に、再生機３の外部の空気を吸入する。排気口３３もファン３３１を備えている。再生機３は、ファン３３１を駆動することで、排気口３３を介して、筐体３１の外部に、筐体３１によって形成される再生処理空間内の空気を排出する。よって、空気は、吸気口３２から筐体３１内の再生処理空間に取り込まれ、排気口３３から筐体３１の外部に排出される。
【００２５】
筐体３１の内部には、吸湿性液体Ｌを滴下するための複数のノズル３４が設けられている。ノズル３４の下方には吸湿性液体Ｌを保持するための保持部材３５が設けられている。保持部材３５のさらに下方は、吸湿性液体Ｌを溜めるための液槽３６が設けられている。複数のノズル３４には配管５の一端が接続されており、配管５の他端は、前述の除湿処理機２の液槽２６に接続されている。また、液槽３６には配管４の一端が接続されており、配管４の他端は、前述の除湿処理機２のノズル２４に接続されている。
【００２６】
再生機３の筐体３１の外部には、排気口３３から排出された空気を吸気口３２付近に導く排気案内部材３７が設けられる。排気案内部材３７は、再生機３の一部として構成されている。排気案内部材３７は、排気口３３から筐体３１の外部に排出された空気を吸気口３２に向かって流動するように案内する。
【００２７】
排気案内部材３７は、排気口３３から排出された空気（排気）が吸気口３２から吸入されるまでの間に、外気と交わるように、外気に対して開放した開口３７０を有する。これにより、吸気口３２も、外気に対して開放されている。排気案内部材３７の開口３７０は、吸気口３２の付近に設けられ、開口３７０と吸気口３２との距離は、好ましくは１０ｍｍ〜８００ｍｍであり、より好ましくは５０ｍｍ〜３００ｍｍであり、さらに好ましくは８０ｍｍ〜２００ｍｍである。なお、図１では、排気案内部材３７を模式的に表しているが、排気案内部材３７の具体的な構成については、後で詳しく説明する。
【００２８】
上述のように、再生機３の液槽３６と除湿処理機２のノズル２４とは配管４で接続されており、除湿処理機２の液槽２６と再生機３のノズル３４とは配管５で接続されている。配管４には、液槽３６に溜められた吸湿性液体Ｌを、配管４を通して汲み上げるためのポンプ４１が設けられている。また、配管４には、配管４を通る吸湿性液体Ｌを冷却するための冷却器４２が設けられる。配管５には、液槽２６に溜められた吸湿性液体Ｌを、配管５を通して汲み上げるためのポンプ５１が設けられている。また、配管５には、配管５を通る吸湿性液体Ｌを加熱するための加熱器５２が設けられている。
【００２９】
以上のように構成された除湿装置１の動作を説明する。除湿装置１は、吸湿性液体Ｌと空気とを気液接触させることで空気の除湿及び吸湿性液体Ｌの再生を行う。除湿処理機２では、空気を除湿する処理が行われる。ポンプ４１が再生機３の液槽３６から再生された吸湿性液体Ｌを汲み上げると、吸湿性液体Ｌは冷却器４２を経て冷却されて除湿処理機２のノズル２４に供給される。吸湿性液体Ｌは、再生機３の再生処理によって濃縮されており（含水率が低く）、かつ、冷却器４２によって冷却されるので、ノズル２４には、濃縮された低温の吸収性液体Ｌが供給される。
【００３０】
吸湿性液体Ｌはノズル２４から除湿処理空間に滴下される。ノズル２４から滴下された吸湿性液体Ｌは、ノズル２４の下方に設けられた保持部材２５に保持され、保持部材２５を下方に流れて液槽２６に落下する。吸気口２２のファン２２１及び排気口２３のファン２３１が駆動されると、空気は吸入口２２から保持部材２５を通過して排気口２３に向かって流れる。このとき、空気は保持部材２５に保持された吸湿性液体Ｌと接触する。濃縮された低温の吸湿性液体Ｌが空気と接触することで、吸湿性液体Ｌは空気中の水分を吸収する。この結果、空気は保持部材２５を通過することで除湿される。除湿された空気は排気口２２を介して筐体２１の外部の除湿対象空間に排出される。
【００３１】
空気中の水分を吸収して希釈化された吸湿性液体Ｌは、液槽２６に溜められる。液槽２６内の吸湿性液体Ｌは、配管５に設けられたポンプ５１によって汲み上げられる。ポンプ５１が吸湿性液体Ｌを汲み上げると、吸湿性液体Ｌは加熱器５２を経て加熱されて再生機３のノズル３４に供給される。吸湿性液体Ｌは、除湿処理機２の除湿処理によって希釈化されており（含水率が高く）、かつ、加熱器５２によって加熱されるので、ノズル３４には、希釈化された高温の吸収性液体Ｌが供給される。
【００３２】
吸湿性液体Ｌはノズル３４から再生処理空間に滴下される。ノズル３４から滴下された吸湿性液体Ｌは、ノズル３４の下方に設けられた保持部材３５に保持され、保持部材３５を下方に流れて液槽３６に落下する。吸気口３２のファン３２１及び排気口３３のファン３３１が駆動されると、空気は吸入口３２から保持部材３５を通過して排気口３３に向かって流れる。このとき、空気は保持部材３５に保持された吸湿性液体Ｌと接触する。希釈化された高温の吸湿性液体Ｌが空気と接触することで、吸湿性液体Ｌは空気中に水分を放出する。この結果、吸湿性液体Ｌは保持部材３５を通過することで再生される。
【００３３】
再生に用いられた空気は、高温の吸湿性液体Ｌに接触したこと及び吸湿性液体Ｌから水分を吸収した際の気化熱によって、温度が上昇する。従って、排気口３３を介して筐体３１の外部に排出される空気（排気）は、高温多湿である。
【００３４】
排気口３３から排出された空気（排気）は、排気案内部材３７により案内されて、吸気口３２の前の空間に向かって流れ、開口３７０から排出されて吸気口３２の付近の外気に晒される。ここで、上記の「吸気口３２の前の空間」とは、筐体３１の周囲の空間のうちの、吸気口３２に対応する部分をいう。排気案内部材３７は、吸気口３２の開口面と垂直な方向から吸気口３２の前の空間に向けて排気を流してよく、吸気口３２の開口面と垂直でない方向から吸気口３２の前の空間に向けて排気を流してもよい。
【００３５】
排気が外気に晒されると、排気からは急激に潜熱が拡散して湿度が低下し、外気の湿度と同程度になる。一方、排気の有する顕熱は潜熱ほど急速には拡散しないため、その温度（高温）は維持される。よって、吸気口３２は、外気を吸入するとともに、排気口３３から排出されて排気案内部材３７によって案内されてきたこのような高温の排気を吸入することになる。再生処理空間では、このような高温の空気を希釈化された高温の吸湿性液体Ｌと接触させることで、吸湿性液体Ｌ中の水分が空気中に放出される。即ち、本発明は、蒸気の拡散速度が温度の拡散速度よりも速いことを利用して、蒸気のみが外気に拡散し、温度が維持されている排気を、吸湿性液体Ｌの再生用の空気として利用するものである。
【００３６】
次に、排気案内部材３７の構成について説明する。以下では、排気案内部材３７の３つの実施の形態を説明するが、本発明の排気案内部材はこれらの実施の形態に限られない。
【００３７】
（排気案内部材の第１の実施の形態）
図２及び図３は、それぞれ第１の実施の形態の排気案内部材を備えた再生機の斜視図及び断面図である。再生機３の筐体３１は直方体であり、その上面３１１に排気口３３が設けられ、前面３１２に吸気口３２が設けられる。排気口３３の上部には、排気案内部材としての三角フード３７１が設けられる。三角フード３７１は、２枚の台形の板部材３７１１，３７１２が屋根状に組み合わされて構成され、排気口３３を覆うように筐体３１に取り付けられている。この２枚の板部材３７１１，３７１２は、筐体３１の上面とで形成される三角の開口３７１３が前面に向かって開放されるよう配置されている。
【００３８】
台形の板部材３７１１，３７１２は、対向する平行な２辺のうちの短い方の辺が筐体３１に取り付けられ、互いの長い方の辺が接続されて尾根３７１４を形成している。尾根３７１４の前面側端部は、筐体３１の前面３１２よりも前に出ている。よって、板部材３７１１，３７１２と筐体３１の上面３１１とで形成される三角の開口３７１３は、斜め下向きに開放されている。なお、背面側の三角の開口は閉じられている。
【００３９】
排気口３３から排出された空気は、三角フード３７１によって、筐体３１の前面３１２方向に導かれるとともに、斜め下向きに開口３７１３から排出される。即ち、排気口３３から排出された空気は、三角フード３７１の開口３７１３から、吸気口３２の前の空間に向かって排出され、吸気口３２付近に達して、吸気口３２から再生処理空間内に吸引される。このとき、開口３７１３から排出された空気は、外気に晒されると、潜熱は直ちに拡散するが、顕熱は維持され、高温を維持したまま湿度が外気と同程度にまで下がった空気となって、吸気口３２に吸入される。
【００４０】
吸気口３２からは、排気以外の外気も同時に吸入されるが、吸気口３２から取り込まれる空気全体としては、外気よりも高温となる。例えば、外気の温度が３０℃であり、絶対湿度が１７ｇ／ｋｇである場合に、吸気口３２から吸入される空気は、温度が３３〜３５℃となり、絶対湿度は１７ｇ／ｋｇのままである。即ち、排気口３３から排出された高温多湿の空気を吸気口３２に戻し、吸気口３２から外気とともにこれを吸入することで、吸気口３２から吸入される空気は、外気自体と比較して、温度が３〜５℃上昇し、湿度は上昇しない。
【００４１】
本実施の形態によれば、三角フードという簡易かつコンパクトな構成で排気案内部材を実現できる。なお、筐体３１の背面にも吸気口を設けて、三角フードの背面側にも開口を形成してもよい。
【００４２】
（排気案内部材の第２の実施の形態）
図４及び図５は、それぞれ第２の実施の形態の排気案内部材を備えた再生機の斜視図及び断面図である。再生機３の筐体３１は直方体であり、その上面３１１に排気口３３が設けられ、前面３１２及び背面３１３にそれぞれ前面側吸気口３２１及び背面側吸気口３２２が設けられる。排気口３３の上部には、排気案内部材としての排気チャンバ３７２が設けられる。排気チャンバ３７２は、排気口３３を覆うように筐体３１の上面３１１に取り付けられる。排気チャンバ３７２は、中空の直方体形状に形成され、その前後方向の長さは、筐体３１の上面の前後方向の幅よりも長く、前面側及び背面側がそれぞれ前面側突出部３７２１及び背面側突出部３７２２として、筐体３１の前面３１２及び背面３１３から突き出すよう筐体３１に取り付けられている。
【００４３】
排気チャンバ３７２の底面には、排気口３３に対応して排気導入口３７２３が形成されており、前面側突出部３７２１及び背面側突出部３７２２の底面には、前面側開口３７２４及び背面側開口３７２５が形成されている。
【００４４】
排気口３３から排出された空気は、排気導入口３７２３から排気チャンバ３７２内に導入され、その一部は前面側開口３７２４から前面側吸気口３２１の前の空間に向けて排出されて、前面側吸気口３２１付近に達し、前面側吸気口３２１から再生処理空間に吸引され、一部は背面側開口３７２５から背面側吸気口３２２の前の空間に向けて排出されて、背面側吸気口３２２付近に達し、背面側吸気口３２２から再生処理空間に吸引される。このとき、前面側開口３７２３及び背面側開口３７２５から排出された空気は、外気に晒されると、潜熱は直ちに拡散するが、顕熱は維持され、高温を維持したまま湿度が外気と同程度にまで下がった空気となって、それぞれ前面側吸気口３２１及び背面側吸気口３２２に吸入される。
【００４５】
本実施の形態においても、前面側吸気口３２１及び背面側吸気口３２２からは、排気以外の外気も同時に吸入されるが、前面側吸気口３２１及び背面側吸気口３２２から取り込まれる空気全体としては、外気よりも高温となる。本実施の形態によっても、簡易かつコンパクトな構成で排気案内部材を実現できる。
【００４６】
（排気案内部材の第３の実施の形態）
図６及び図７は、それぞれ第３の実施の形態の排気案内部材を備えた再生機の斜視図及び断面図である。再生機３の筐体３１は直方体であり、その上面３１１に排気口３３が設けられ、前面３１２に吸気口３２が設けられる。本実施の形態の排気案内部材は排気ダクト３７３である。排気ダクト３７３は、一端が排気口３３に接続されており、他端は開放端として開口３７３１が形成されている。開口３７３１は、吸気口３２の付近に、吸気口３２の面と平行になるように形成されている。
【００４７】
排気口３３から排出された空気は、排気ダクト３７３に導入され、排気ダクト３７３内を流れて開口３７３１から、吸気口３２の前の空間に向けて排出されて、吸気口３２付近に達し、吸気口３２から再生処理空間に吸引される。開口３７３１から排出された空気は、外気に晒されると、潜熱は直ちに拡散するが、顕熱は維持され、高温を維持したまま湿度が外気と同程度にまで下がった空気となって、吸気口３２に吸入される。本実施の形態においても、吸気口３２からは、排気以外の外気も同時に吸入されるが、吸気口３２から取り込まれる空気全体としては、外気よりも高温となる。
【００４８】
本実施の形態によれば、排気口３３から排出された空気を確実に吸気口３２付近に供給できる。また、排気ダクト３７３の開口３７３１の面が吸気口３２の面と平行であるので、開口３７３１から吸気口３２に向けて高温の空気が排出されるので、排気が有する顕熱の利用効率が向上する。
【００４９】
なお、上記の実施の形態では、排気案内部材３７が開口３７０を有し、開口３７０から排出された空気が吸気口３２に吸入されるまでに外気に晒される構成を説明したが、本発明はこれに限られない。排気案内部材３７は、排気口３３から吸気口３２に排気を案内する過程で排気を外気に晒して排気の潜熱拡散を実現できる構成であれば、開口を有していなくてもよい。例えば、第３の実施の形態で説明した排気ダクト３７３の開口３７３１を直接吸気口３２に接続するとともに、ダクトの途中に複数の小さな気孔を設けてその部分で排気中の蒸気を外気に拡散させるようにしてもよい。
【産業上の利用可能性】
【００５０】
以上のように、本発明は、吸湿体の再生に用いる空気に対して加熱をするための専用の加熱器を必要とせずに、高温の空気を吸気口に供給でき、除湿装置の再生機等として有用である。
【符号の説明】
【００５１】
１  除湿装置
２  除湿処理機
３  再生機
４  配管
５  配管
２１  筐体
２２  吸気口
２３  排気口
２４  ノズル
２５  保持部材
２６  液槽
３１  筐体
３２  吸気口
３３  排気口
３４  ノズル
３５  保持部材
３６  液槽
３７  排気案内部材
４１  ポンプ
４２  冷却器
５１  ポンプ
５２  加熱器
３７０  開口
３７１  三角フード
３７１３  開口
３７２  排気チャンバ
３７２１  前面側突出部
３７２２  背面側突出部
３７２３  排気導入口
３７２４  前面側開口
３７２５  背面側開口
３７３  排気ダクト
３７３１  開口
【図１】
0005567824.tif 000002
【図２】
0005567824.tif 000003
【図３】
0005567824.tif 000004
【図４】
0005567824.tif 000005
【図５】
0005567824.tif 000006
【図６】
0005567824.tif 000007
【図７】
0005567824.tif 000008